(57)【要約】複数台の自動分析装置における状況確認などの作業を効率よく行う。自動分析システムにおいて、タブレット端末１１４は、端末情報管理部２１０および端末表示部２０８を有する。端末情報管理部２１０は、自動分析装置１０１ａ〜１０１ｄから装置の状態状況を示す装置情報をそれぞれ取得して、自動分析装置の装置状況を示す状況確認画面を生成する。端末表示部２０８は、状況確認画面を表示する。状況確認画面は、１つの自動分析装置の装置状況を示す状況情報画面と、該状況情報画面を他の自動分析装置に対応した状況情報画面に切り替える装置切り替えボタンと、を有する。端末情報管理部２１０は、切り替えボタンが選択された際に、選択された切り替えボタンに対応する自動分析装置の状況確認画面を生成して表示部に表示させる。
2018168431.tif 000002
【特許請求の範囲】
【請求項１】
検体を測定する複数の自動分析装置と、
複数の前記自動分析装置と接続される端末装置と、
を有し、
前記端末装置は、複数の前記自動分析装置から前記自動分析装置の状態状況を示す装置情報をそれぞれ取得して、取得した前記装置情報に基づいて、前記自動分析装置における装置状況を示す状況確認画面を生成する情報管理部と、
前記情報管理部が生成した状況確認画面を表示する表示部と、
を有し、
前記表示部が表示する状況確認画面は、
複数の前記自動分析装置のうち、１つの自動分析装置における装置状況を示す状況情報画面と、
前記状況情報画面を他の自動分析装置に対応した状況情報画面に切り替える切り替えボタンと、
を有し、
前記情報管理部は、前記切り替えボタンが選択された際に、選択された前記切り替えボタンに対応する自動分析装置の前記装置情報に基づいて、前記自動分析装置における装置状況を示す状況確認画面を生成して前記表示部に表示させる、自動分析システム。
【請求項２】
請求項１記載の自動分析システムにおいて、
前記表示部が表示する前記切り替えボタンは、複数の前記自動分析装置毎に対応してそれぞれ表示される、自動分析システム。
【請求項３】
請求項２記載の自動分析システムにおいて、
前記表示部が表示する前記切り替えボタンは、表示中の自動分析装置に対応する前記切り替えボタンと表示されていない自動分析装置に対応する前記切り替えボタンとが判別されるように表示される、自動分析システム。
【請求項４】
請求項１記載の自動分析システムにおいて、
前記表示部が表示する状況確認画面は、状況毎に分類される第１の分類表示および前記第１の分類表示を分類した第２の分類表示を有する階層構造である、自動分析システム。
【請求項５】
請求項１記載の自動分析システムにおいて、
前記表示部が表示する状況確認画面は、前記端末装置に接続されている自動分析装置を示す接続装置表示部を表示し、
前記接続装置表示部は、前記表示部に表示されている前記状況確認画面がどの自動分析装置の状況であるかを示す装置対応マークを表示する、自動分析システム。
【発明の詳細な説明】
【技術分野】
【０００１】
本発明は、自動分析システムに関し、特に、複数の分析装置における状況の確認に有効な技術に関する。
【背景技術】
【０００２】
血液や尿などの生体サンプル（以下、単に試料と称する）の定性・定量分析を行う装置として、自動分析装置が広く知られている。この自動分析装置には、操作部が設けられている。【０００３】
操作部は、分析の実行やメンテナンスの実行を行い、その結果を確認したり、試薬の固有情報や残量情報を表示したり、装置上にて発生した異常をアラームなどで通知したりする。【０００４】
操作部には、主にデスクトップ型パーソナルコンピュータ（以下、単にデスクトップＰＣと称する）が使用される。また、場合によっては、装置に付属するデスクトップＰＣ以外にタブレット端末などが用いられることもある。【０００５】
タブレット端末は、例えば無線ネットワークなどによって自動分析装置と接続されており、該自動分析装置の情報などを表示する。【０００６】
近年、デスクトップＰＣ画面内に表示される内容は、自動分析装置の多機能化、高度化に伴い画面表示情報量が多くなってきており、画面階層についても複雑化してきている。これはデスクトップＰＣに表示する場合であってもタブレット端末に表示する場合でも同じ傾向にある。【０００７】
一方、検査業務に目を向けると、自動分析処理量の増加、および緊急を要する検体への即時対応に加えて人員削減などの影響によってルーチン業務が過密になってきている。【０００８】
そのうえ、複数台の自動分析装置を同一ネットワーク上に配置したシステムを使用する施設が増えているが、人員が限られているため１人のオペレータが複数台の装置の操作を担当することがほとんどである。【０００９】
なお、上記した複数台の自動分析装置が同一ネットワーク上に配置されたシステムを効率よく運用する技術としては、例えば特許文献１などが知られている。
【先行技術文献】
【特許文献】
【００１０】
【特許文献１】特開２００６−２７５９５１号公報
【発明の概要】
【発明が解決しようとする課題】
【００１１】
上述したように、過密になるルーチン業務スケジュールになればなるほど、当然、１人のオペレータに対する作業負荷は上がる。検体分析を予定通り行うためには、試薬準備やアラームへの対処などは迅速に行わなければならない。【００１２】
例えば自動分析装置が４台設置されている場合において、試薬準備の際には、自動分析装置毎に接続されるデスクトップＰＣに立ち寄って試薬設置状況、残量などを順次確認しなければならず、作業効率が低下してしまうという問題がある。【００１３】
また、タブレット端末を使用して試薬情報を確認する場合であっても同様に作業効率が低下してしまうという問題がある。タブレット端末に表示される管理画面の構成は、自動分析装置毎に画面がそれぞれ構成されている。そのため、その都度、管理画面から確認する自動分析装置を選択して、その後、選択した自動分析装置の画面階層を順次たどりながら目的の試薬状況画面まで画面遷移させる必要がある。【００１４】
本発明の目的は、複数台の自動分析装置における状況確認などの作業を効率よく行うことのできる技術を提供することにある。【００１５】
本発明の前記ならびにその他の目的と新規な特徴については、本明細書の記述および添付図面から明らかになるであろう。
【課題を解決するための手段】
【００１６】
本願において開示される発明のうち、代表的なものの概要を簡単に説明すれば、次のとおりである。【００１７】
すなわち、代表的な自動分析システムは、検体を測定する複数の自動分析装置および複数の自動分析装置に接続される端末装置と、を有する。【００１８】
端末装置は、情報管理部および表示部を有する。情報管理部は、複数の自動分析装置から自動分析装置の状態状況を示す装置情報をそれぞれ取得して、取得した装置情報に基づいて、自動分析装置における装置状況を示す状況確認画面を生成する。表示部は、情報管理部が生成した状況確認画面を表示する。【００１９】
また、表示部が表示する状況確認画面は、複数の自動分析装置のうち、１つの自動分析装置における装置状況を示す状況情報画面と、状況情報画面を他の自動分析装置に対応した状況情報画面に切り替える切り替えボタンと、を有する。【００２０】
そして、情報管理部は、切り替えボタンが選択された際に、選択された切り替えボタンに対応する自動分析装置の装置情報に基づいて、自動分析装置における装置状況を示す状況確認画面を生成して表示部に表示させる。【００２１】
特に、表示部が表示する切り替えボタンは、複数の自動分析装置毎に対応してそれぞれ表示される。
【発明の効果】
【００２２】
本願において開示される発明のうち、代表的なものによって得られる効果を簡単に説明すれば以下のとおりである。【００２３】
（１）自動分析装置の状況を確認する際の工数を低減することができる。【００２４】
（２）上記（１）により、作業効率を向上させることができる。
【図面の簡単な説明】
【００２５】
【図１】一実施の形態による自動分析システムにおける構成の一例を示す説明図である。
【図２】図１の自動分析装置を複数台有する自動分析システムにおける構成の一例を示す説明図である。
【図３】図２の自動分析システムが有するタブレット端末に表示される画面階層および画面遷移における概略の一例を示す説明図である。
【図４】図２の自動分析システムが有する操作部ＰＣ、情報管理ＰＣ、およびタブレット端末における機能構成の一例を示すブロック図である。
【図５】図２の自動分析システムにおけるタブレット端末に表示される複数台の自動分析装置における画面切り替え遷移の一例を示す説明図である。
【図６】図２の自動分析システムが有するタブレット端末による装置選択画面における表示例を示した説明図である。
【図７】図２の自動分析システムが有するタブレット端末による試薬状況画面における表示例を示した説明図である。
【図８】図２の自動分析システムが有するタブレット端末による試薬状況画面における画面切り替え前の画面表示の一例を示す説明図である。
【図９】図８の試薬状況画面における画面切り替え後の画面表示の一例を示す説明図である。
【発明を実施するための形態】
【００２６】
実施の形態を説明するための全図において、同一の部材には原則として同一の符号を付し、その繰り返しの説明は省略する。
以下、実施の形態を詳細に説明する。
〈自動分析システムの構成例１〉
【００２７】
図１は、一実施の形態による自動分析システムにおける構成の一例を示す説明図である。
【００２８】
この図１に示す自動分析システムは、１台の自動分析装置を有する全体構成を概略的に示したものである。
【００２９】
自動分析システム１００は、図１に示すように、自動分析装置１０１、通信機器１１０、操作部ＰＣ１１１、情報管理ＰＣ１１２、無線機器１１３、および通信機器１３０を有する。
【００３０】
自動分析装置１０１は、試料投入部１０４、分析部１０６ａ，１０６ｂ，１０６ｃ、搬送ライン１０５、および試料収納部１０９などを有する。この自動分析装置１０１は、例えばネットワーク接続によって操作部ＰＣ１１１およびタブレット端末１１４に接続されている。
【００３１】
試料投入部１０４と試料収納部１０９とは、試料ラック１０３を搬送する搬送ライン１０５によって接続されている。試料投入部１０４は、試料ラック１０３が投入される。試料ラック１０３は、分析対象である試料が収容された試料容器１０２を複数搭載する。試料収納部１０９は、試料ラック１０３を収納する。
【００３２】
分析部１０６ａ，１０６ｂ，１０６ｃは、搬送ライン１０５に沿ってそれぞれ配置されている。なお、図１では、３つの分析部１０６ａ，１０６ｂ，１０６ｃが配置されている例を示しているが、分析部の数に制限はなく、１つ以上であればよい。
【００３３】
操作部ＰＣ１１１は、自動分析装置１０１全体の動作を制御するものであり、例えばハブなどからなる通信機器１１０を介して自動分析装置１０１に接続されている。また、通信機器１１０には、例えばパーソナルコンピュータなどの情報管理ＰＣ１１２が接続されている。情報管理ＰＣ１１２は、例えば無線ルータなどの無線機器１１３が接続されており、該無線機器１１３による無線通信によってタブレット端末１１４と通信することができる。
【００３４】
試料投入部１０４には、分析対象である試料が収容された試料容器１０２が複数配置された試料ラック１０３が投入され、搬送ライン１０５を介して各分析部１０６ａ，１０６ｂ，１０６ｃや試料収納部１０９などに搬送される。
【００３５】
試料容器１０２に収容される試料としては、キャリブレーション測定に用いるキャリブレーション試料、精度管理測定に用いる精度管理試料、あるいは血液や尿などの生体試料である患者試料などがある。
【００３６】
試料ラック１０３に搭載される各試料容器１０２には、収容される試料を識別する図示しないタグが設けられている。このタグは、例えばバーコードやＲＦＩＤ（Radio Frequency IDentification）であり、図示しない読み取り装置によって識別情報が読み取られ、操作部ＰＣ１１１などに送られる。
【００３７】
分析部１０６ａは、反応ディスク１２０ａ、試料分注機構１２１ａ、試薬ディスク１０８ａ、試薬分注機構１２２ａ、および測光機構１２３ａなどを有する。反応ディスク１２０ａは、複数の反応容器を有する。
【００３８】
試料分注機構１２１ａは、搬送ライン１０５により搬送される試料容器１０２に収容された試料を反応容器に分注する。試薬ディスク１０８ａは、試料の分析に用いる試薬を収容した複数の試薬容器１０７を設置する。
【００３９】
試薬分注機構１２２ａは、試薬ディスクに設置された試薬容器１０７の試薬を吸引して反応容器に分注する。測光機構１２３ａは、反応容器に収容された試料と試薬の混合液の吸光度や散乱光強度などを測定する。
【００４０】
分析部１０６ａは、測光機構１２３ａから得られた光学情報を解析することによって試料内の所定物質の含有濃度などを分析することができる。分析部１０６ｂ，１０６ｃについても、分析部１０６ａと同様の構成を有しており、それぞれ、反応ディスク１２０ｂ，１２０ｃ、試料分注機構１２１ｂ，１２１ｃ、試薬ディスク１０８ｂ，１０８ｃ、試薬分注機構１２２ｂ，１２２ｃ、および測光機構１２３ｂ、１２３ｃなどを有する。
【００４１】
端末装置であるタブレット端末１１４は、無線機器１１３を介して情報管理ＰＣ１１２と通信可能に接続されており、該タブレット端末１１４からの指示により、情報管理ＰＣ１１２を経由して操作部ＰＣ１１１から装置情報を取得する。これによって、オペレータ２００は、タブレット端末１１４の画面から自動分析装置１０１の各情報を見ることができる。
〈自動分析システムの構成例２〉
【００４２】
図２は、図１の自動分析装置を複数台有する自動分析システムにおける構成の一例を示す説明図である。
【００４３】
この図２では、操作部ＰＣ１１１がそれぞれ接続された自動分析装置１０１ａ〜１０１ｄを４台接続した例を示したものである。なお、自動分析装置の接続台数については、特に制限はない。
【００４４】
自動分析装置１０１ａ〜１０１ｄには、ハブなどからなる通信機器１１０ａ〜１１０ｄがそれぞれ接続されている。通信機器１１０ａ〜１１０ｄは、通信機器１３０にそれぞれ接続されている。
【００４５】
よって、自動分析装置１０１ａ〜１０１ｄは、通信機器１１０ａ〜１１０ｄおよび通信機器１３０を介して、情報管理ＰＣ１１２にそれぞれ接続されている。情報管理ＰＣ１１２は、接続した無線機器１１３と無線通信によってタブレット端末１１４と通信可能に接続されている。
〈状況画面の遷移例１〉
【００４６】
図３は、図２の自動分析システムが有するタブレット端末に表示される画面階層および画面遷移における概略の一例を示す説明図である。
【００４７】
タブレット端末１１４に表示される画面は、図３に示すように、ログオン画面１５１、装置選択画面１５２、オーバービュー画面１５３、試薬状況画面１５４、アラーム状況画面１５５、ラック状況画面１５６、試薬状況詳細画面１５７、準備リスト画面１５８、廃棄リスト画面１５９、アラーム状況詳細画面１６０、ラック状況詳細画面１６１、および検体情報詳細画面１６２である。
【００４８】
また、試薬状況画面１５４、アラーム状況画面１５５、およびラック状況画面１５６は、第１の分類表示である。試薬状況画面１５４における試薬状況詳細画面１５７、準備リスト画面１５８、および廃棄リスト画面１５９は、第２の分類表示となる。
【００４９】
同様に、アラーム状況画面１５５におけるアラーム状況詳細画面１６０は、第２の分類表示となり、ラック状況画面１５６におけるラック状況詳細画面１６１および検体情報詳細画面１６２についても第２の分類表示となる。
【００５０】
ここで、画面構成１５０は、装置選択画面１５２の装置選択ボタンにて選択した該当自動分析装置の情報を表示するための画面要素を示す。
【００５１】
ログオン画面１５１は、最上位階層の画面であり、第２階層に装置選択画面１５２を有する。第２階層の下層である第３階層には、オーバービュー画面１５３を持つ。オーバービュー画面１５３の下層である第４階層には、試薬状況画面１５４とアラーム状況画面１５５とラック状況画面１５６を持つことを示している。
【００５２】
また、第４階層の下層である第５階層として、試薬状況画面１５４は、試薬状況詳細画面１５７、準備リスト画面１５８、および廃棄リスト画面１５９を有する。同様に、アラーム状況画面１５５は、アラーム状況詳細画面１６０を有し、ラック状況画面１５６は、ラック状況詳細画面１６１を有する。第６階層としてラック状況詳細画面１６１は、検体情報詳細画面１６２を有する。
【００５３】
なお、図３においては、それぞれの画面間を結んだ矢印線にて画面遷移の方向を示している。例えば、試薬状況詳細画面１５７は、試薬状況画面１５４から遷移できるだけでなく、試薬状況画面１５４に戻ることができる。また、試薬状況画面１５４は、オーバービュー画面１５３に戻ることもできるし、アラーム状況画面１５５へも遷移できることを示している。
〈機能構成例〉
【００５４】
図４は、図２の自動分析システムが有する操作部ＰＣ、情報管理ＰＣ、およびタブレット端末における機能構成の一例を示すブロック図である。
【００５５】
この図４において、自動分析システム１００における接続構成は図２と同様であり、操作部ＰＣ１１１ａ，１１１ｂ，１１１ｃ，１１１ｄは、通信機器１１０ａ，１１０ｂ，１１０ｃ，１１０ｄおよび通信機器１３０を通じて情報管理ＰＣ１１２にそれぞれ接続されている。また、情報管理ＰＣ１１２は、無線機器１１３を通じて無線通信により情報の授受が行われる。
【００５６】
なお、操作部ＰＣ１１１ｂ〜１１１ｄは、操作部ＰＣ１１１ａと同様の機能構成であるので、図４では、省略している。
【００５７】
操作部ＰＣ１１１ａは、図示するように、入力部２０１、表示部２０２、装置情報管理部２０４、対情報管理ＰＣ通信部２０５、記憶部２０６、および対分析部通信部２０７などを有する。
【００５８】
操作部ＰＣ１１１ａは、例えば図１の分析部１０６ａ，１０６ｂ，１０６ｃ、および試料収納部１０９などと通信を行い、自動分析装置１０１ａ全体の動作を制御する。操作部ＰＣ１１１ａは、入力部２０１、表示部２０２、装置情報管理部２０４、対情報管理ＰＣ通信部２０５、記憶部２０６、および対分析部通信部２０７などを有する。
【００５９】
入力部２０１は、例えば、キーボードやマウスなどであり、表示部２０２に表示される各種操作画面のボタン表示のマウスカーソルによる押し下げ、例えばマウスのクリックなどや入力枠へのキーボードからの数字や文字の入力などを行う。すなわち、入力部２０１と表示部２０２とは、ＧＵＩ（Graphical User Interface）にて構成している。
【００６０】
装置情報管理部２０４は、アラーム管理部２２１、試薬管理部２２２、測定終了管理部２２３、およびユーザ管理部２２４を有する。
【００６１】
試薬管理部２２２は、図１の試薬ディスク１０８ａ，１０８ｂ，１０８ｃに設置された試薬容器１０７などの試薬に関する情報の管理を行う。具体的には、分析項目との紐付け、残量管理、１つの分析項目に対して複数の試薬容器１０７が設置された場合の使用優先順の管理、および試薬有効期限の管理などである。
【００６２】
新たに試薬容器１０７が設置された場合、試薬管理部２２２は、記憶部２０６に記憶されている累積試薬情報を検索して過去に同じ試薬容器が設置されていたかを判定する。設置されていた場合には、記憶部２０６に記憶されている試薬情報を取り出し、設置されていなかった場合には、新規の試薬容器１０７として管理する。
【００６３】
また、残量管理においては、入力部２０１を通して設定された分析項目毎の残量のしきい値を下回った試薬について、試薬準備リストあるいは試薬廃棄リストに登録するといった処理も行う。また、試薬管理部２２２は、表示部２０２の表示に関する制御なども行う。
【００６４】
アラーム管理部２２１は、自動分析装置１０１ａに設けられた図示しない検出部からの情報や装置状態などや例えば異常の検出理論などのあらかじめ定めた基準などに基づいて検出された異常を表示部２０２に報知して、タブレット端末１１４に異常を通知するために異常情報を図示しない一時記憶部に記憶する。
【００６５】
測定終了管理部２２３は、自動分析装置１０１ａにて測定したキャリブレーション試料、精度管理試料、または患者試料の測定結果が出力されたかどうか監視する。そして、測定結果が自動分析装置１０１ａから出力されるとタブレット端末１１４に通知するために試料情報の測定終了情報を記憶部２０６に記憶させる。
【００６６】
ユーザ管理部２２４は、自動分析装置１０１ａの固有情報や該装置を使用するオペレータのユーザ情報などを管理する。例えばログインＩＤやパスワードの書き込み、読み出しや、ログイン判断などである。
【００６７】
対情報管理ＰＣ通信部２０５は、情報管理ＰＣ１１２からの要求テキストを受信して、装置情報管理部２０４が管理している情報などの必要な情報を情報管理ＰＣ１１２に送信する。
【００６８】
情報管理ＰＣ１１２は、情報管理通信部２３１、情報管理部２３２、および情報管理記憶部２３３を有する。
【００６９】
情報管理通信部２３１は、タブレット端末１１４との無線通信の制御、タブレット端末１１４に送信する通信テキストの作成、およびタブレット端末１１４から受信した通信テキストの情報の分配を行い、操作部ＰＣ１１１ａに情報を送信する。
【００７０】
情報管理部２３２は、接続している各自動分析装置１０１ａ〜１０１ｄのＩＰアドレスなどの装置の識別情報を情報管理記憶部２３３に記憶させる。また、情報管理部２３２は、タブレット端末１１４から指示された内容に応じて、情報管理通信部２３１を通じて該当自動分析装置に対して装置情報の取得などの通信を行う。
【００７１】
対分析部通信部２０７は、自動分析装置１０１ａとの通信の制御、自動分析装置１０１ａに送信する通信テキストの作成、および自動分析装置１０１ａから受信した通信テキストの情報の分配を行う。
【００７２】
タブレット端末１１４は、端末表示部２０８、端末通信部２０９、端末情報管理部２１０、および端末入力部２１１などを有する。このタブレット端末１１４は、無線機器１１３を通じて情報管理ＰＣ１１２を経由して操作部ＰＣ１１１ａ（〜１１１ｄ）と通信する。これにより、自動分析装置１０１ａ（〜１０１ｄ）から様々な情報を取得したり、自動分析装置１０１ａ（〜１０１ｄ）の操作を行ったりする。
【００７３】
タブレット端末１１４においては、操作部ＰＣ１１１ａと同様に、端末表示部２０８と端末入力部２１１とによってＧＵＩが構成されている。これにより、操作部ＰＣ１１１ａ（〜１１１ｄ）から送信された試薬情報、アラーム情報、および通知情報を含む種々の情報を受信して端末表示部２０８に表示する。あるいは、端末入力部２１１によって自動分析装置１０１ａ（〜１０１ｄ）に操作指示などを入力して、操作部ＰＣ１１１ａに送信する。
【００７４】
端末通信部２０９は、情報管理ＰＣ１１２との無線通信の制御、情報管理ＰＣ１１２に送信する通信テキストの作成、および情報管理ＰＣ１１２から受信した通信テキストの情報の分配などを行う。
【００７５】
情報管理部である端末情報管理部２１０は、操作部ＰＣ１１１ａ（〜１１１ｄ）から情報管理ＰＣ１１２を介して受信した自動分析装置に関するアラーム情報および試薬情報などを含む情報の管理および端末入力部２１１から画面上の操作処理などを行う。
〈自動分析システムの動作例〉
【００７６】
続いて、自動分析システム１００の動作について説明する。
【００７７】
ここでは、図４のブロック図を用いて、自動分析装置の切り替え動作を説明する。
【００７８】
自動分析装置１０１ａには、該自動分析装置１０１ａの情報としてユニークな装置ＩＤ、装置名称などが決められている。始めに操作部ＰＣ１１１ａを立ち上げることにより、ユーザ管理部２２４は、記憶部２０６に記憶された装置ＩＤと装置名称を読み出す。
【００７９】
そして、読み出された装置ＩＤおよび装置名称は、対情報管理ＰＣ通信部２０５を通じて情報管理ＰＣ１１２の情報管理通信部２３１に送信される。情報管理通信部２３１にて受信された装置ＩＤおよび装置名称は、情報管理部２３２に受け渡される。
【００８０】
情報管理部２３２は、情報管理記憶部２３３に装置ＩＤと装置名称を記憶させる。これら装置ＩＤおよび装置名称は、接続可能な自動分析装置として認識するための情報として使用される。
【００８１】
同様に、操作部ＰＣ１１１ｂ，１１１ｃ，１１１ｄにおいても、立ち上げを行うことで情報管理記憶部２３３にすべての装置ＩＤおよび装置名称が記憶される。
【００８２】
一方、タブレット端末１１４の端末情報管理部２１０は、情報管理ＰＣ１１２との最初の接続時に各操作部ＰＣ１１１ａ〜１１１ｄの装置ＩＤおよび装置名称をそれぞれ取得するために端末通信部２０９から情報管理ＰＣ１１２の情報管理通信部２３１にシステム情報取得要求を送信する。
【００８３】
情報管理通信部２３１にて受けたシステム情報取得要求に対する処理は、情報管理部２３２にて実施される。情報管理部２３２は、情報管理記憶部２３３からすべての自動分析装置の装置ＩＤおよび装置名称を読み出し、読み出した情報をシステム情報取得要求に対する返信情報として情報管理通信部２３１から端末通信部２０９に送信する。
【００８４】
端末通信部２０９が受信した装置ＩＤおよび装置名称は、端末情報管理部２１０により記憶される。図４のタブレット端末１１４の例では、端末情報管理部２１０の記憶場所についての例は示していないが、例えばタブレット端末１１４が有するハードディスク装置あるいはＲＡＭ（Random Access Memory）などのメモリでもよい。
【００８５】
端末表示部２０８は、アラーム情報を表示する画面（以下、単にアラーム情報画面と称す）、試薬情報を表示する画面（以下、単に試薬状況画面と称す）、あるいは検体測定情報を表示する画面（以下、単に検体情報画面と称す）など複数の画面が用意されている。それらの画面には個々にユニークな画面ＩＤが決められており、画面を表示する際に端末情報管理部２１０に記憶される。
【００８６】
タブレット端末１１４の初期表示時において、端末情報管理部２１０は、装置選択画面の表示要求と共に、すべての自動分析装置の装置ＩＤおよび装置名称を読み出して、その情報を端末表示部２０８へ受け渡す。
【００８７】
端末表示部２０８は、初期表示として、ログオン画面を表示する。ユーザが、ログインＩＤおよびパスワードをそれぞれ入力すると、接続する自動分析装置を決定する装置選択画面が表示される。
【００８８】
装置選択画面内には接続する自動分析装置に対する装置選択ボタンが配置される。各装置選択ボタンには、装置名称が表示されている。また、装置選択ボタンは、タブレット端末１１４にて装置ＩＤと対で管理される。
【００８９】
端末入力部２１１は、装置選択画面の装置選択ボタンが押されると、押された装置選択ボタンに対応した装置ＩＤを端末情報管理部２１０に報告する。
【００９０】
端末情報管理部２１０は、報告された装置ＩＤを選択中装置ＩＤとして記憶する。この選択中装置ＩＤは、タブレット端末１１４がどの装置に接続するのか識別するために使用される。
【００９１】
装置選択画面の装置選択ボタンが押された後、端末表示部２０８にはオーバービュー画面が表示される。その後、ユーザが作業のためにアラーム情報画面や試薬状況画面や検体情報画面など、メインとなるベース画面を表示する。
【００９２】
端末表示部２０８に表示されるアラーム情報画面や試薬状況画面や検体情報画面などには、切り替えボタンである装置切り替えボタンが表示される。この装置切り替えボタンは、装置名称が表示されている。装置切り替えボタンは、タブレット端末１１４にて装置ＩＤと対にて管理される。
【００９３】
また、押された装置切り替えボタンは、選択していることが分かるように、選択していない装置に対する装置切り替えボタンと区別して表示される。区別の方法は、例えばボタン色の違いなどによって行う。あるいは、装置名称の文字サイズの違いであってもよいし、チェックマーク有無などであってもよい。
【００９４】
以下、タブレット端末１１４において、操作部ＰＣ１１１ｂに対する試薬状況画面が表示されている状況にて、操作部ＰＣ１１１ａに対する装置切り替えボタンが押された場合で説明する。
【００９５】
試薬状況画面内に表示された操作部ＰＣ１１１ａに対する装置切り替えボタンが押されると、端末入力部２１１から操作部ＰＣ１１１ａに対する装置ＩＤを端末情報管理部２１０に報告する。端末情報管理部２１０は、報告された装置ＩＤを選択中装置ＩＤに上書き記憶する。
【００９６】
端末情報管理部２１０は、端末通信部２０９に対して画面表示情報取得要求を行う。端末通信部２０９は、情報管理通信部２３１に画面表示情報取得要求を送信する。
【００９７】
そのキー情報として選択中装置ＩＤおよび選択中画面ＩＤがそれぞれ送信される。具体的には、選択中装置ＩＤは、操作部ＰＣ１１１ａであり、選択中画面ＩＤは、試薬状況画面を示している。
【００９８】
情報管理通信部２３１は、画面表示情報取得要求を受信すると、情報管理部２３２に報告する。情報管理部２３２は、画面表示情報取得要求において送信された選択中装置ＩＤおよび選択中画面ＩＤを受け取ると、選択中装置ＩＤから情報取得先の自動分析装置の操作部ＰＣを決定して、選択中画面ＩＤを用いて該操作部ＰＣから取得する情報の種類を決定する。
【００９９】
情報管理部２３２は、情報管理通信部２３１を通じて、操作部ＰＣ１１１ａの対情報管理ＰＣ通信部２０５に試薬状況画面情報取得要求を送信する。対情報管理ＰＣ通信部２０５は、受信した試薬状況画面情報取得要求を装置情報管理部２０４の試薬管理部２２２に受け渡す。
【０１００】
試薬管理部２２２は、試薬状況画面情報取得要求に応じて、記憶部２０６より試薬情報を読み出し、試薬状況画面情報取得要求に対する返信情報として試薬状況画面情報を対情報管理ＰＣ通信部２０５から情報管理通信部２３１に送信する。
【０１０１】
情報管理通信部２３１が試薬状況画面情報を受け取ると、情報管理部２３２は、タブレット端末１１４の端末通信部２０９に試薬状況画面情報を送信する。端末通信部２０９は、受信した試薬状況画面情報を端末表示部２０８に受け渡す。
【０１０２】
そして、端末表示部２０８は、受け渡された試薬状況画面情報に従って操作部ＰＣ１１１ａに対する試薬状況画面を表示する。
〈状況画面の遷移例２〉
【０１０３】
図５は、図２の自動分析システムにおけるタブレット端末に表示される複数台の自動分析装置における画面切り替え遷移の一例を示す説明図である。
【０１０４】
なお、図５においては、４台中、２台の自動分析装置が接続された場合を例とした試薬状況画面間の画面遷移を示したものである。
【０１０５】
図５の左側に示す画面構成１５０ａは、装置選択画面１５２の装置選択ボタンにて選択した自動分析装置１０１ａの情報を表示する画面要素を示したものである。また、図５の右側に示す画面構成１５０ｂは、装置選択画面１５２の装置選択ボタンにて選択した自動分析装置１０１ｂの情報を表示する画面要素を示したものである。
【０１０６】
図示するように、ユーザは、試薬状況画面１５４ａからオーバービュー画面１５３ａへ、オーバービュー画面１５３ａから装置選択画面１５２へ遷移させ、装置選択画面１５２から自動分析装置１０１ｂの装置選択ボタンを押すことによってオーバービュー画面１５３ｂに遷移させ、オーバービュー画面１５３ｂから試薬状況画面１５４ｂに遷移させることができる。
【０１０７】
一方、図４を用いて説明した上述した動作によって、自動分析装置１０１ａの試薬状況画面１５４ａと自動分析装置１０１ｂの試薬状況画面１５４ｂとを直接画面遷移できるようになる。
【０１０８】
画面遷移１６３にて示す点線は、試薬状況画面１５４ａと試薬状況画面１５４ｂとを直接双方向に遷移できることを示している。図５では、試薬状況画面１５４ａ，１５４ｂを例としたが、アラーム状況画面１５５ａ，１５５ｂ、ラック状況画面１５６ａ，１５６ｂであっても同様に画面遷移を行うことができる。
〈装置選択画面の表示例〉
【０１０９】
図６は、図２の自動分析システムが有するタブレット端末による装置選択画面における表示例を示した説明図である。
【０１１０】
端末表示部２０８の上方には、図６に示すように、左側から右側にかけて、接続装置表示部３１０，３１１，３１２，３１３がそれぞれ表示されている。そして、これら接続装置表示部３１０，３１１，３１２，３１３の下方には、装置選択画面３００が表示されている。
【０１１１】
接続装置表示部３１０〜３１３は、接続された自動分析装置に対応するボタンであり、どの自動分析装置が接続されているかを示すものである。例えば図６の例では、４台の自動分析装置が接続された状態を示している。これら接続装置表示部３１０〜３１３は、接続されている自動分析装置における通知アイコンがそれぞれ表示されている。
【０１１２】
例えば、接続装置表示部３１０内には、左側から右側にかけて、アラーム通知アイコン、試料残量不足通知アイコン、キャリブレーション／精度管理試料の測定終了通知アイコン、および緊急患者試料の測定終了通知アイコンの４種類のアイコンがそれぞれ表示されている。接続装置表示部３１１〜３１３についても、同様の通知アイコンがそれぞれ表示されている。
【０１１３】
装置選択画面３００には、上方から下方にかけて装置選択ボタン３０１ａ，３０１ｂ，３０１ｃ，３０１ｄがそれぞれ表示されている。この装置選択ボタン３０１ａ，３０１ｂ，３０１ｃ，３０１ｄは、接続装置表示部３１０，３１１，３１２，３１３と同様に、タブレット端末１１４にて接続された自動分析装置にそれぞれ対応した表示となる。
【０１１４】
図６では、上述したように４台の自動分析装置が接続されている状態であるので、各自動分析装置に対応する装置選択ボタン３０１ａ，３０１ｂ，３０１ｃ，３０１ｄがそれぞれ表示される。この表示からタブレット端末１１４から接続して情報表示できる自動分析装置が４台あることがわかる。
【０１１５】
また、装置選択ボタン３０１ａ，３０１ｂ，３０１ｃ，３０１ｄには、装置名称３０２ａ，３０２ｂ，３０２ｃ，３０２ｄをそれぞれ表示しており、どの自動分析装置に対応した選択ボタンであるかを容易に認識できるようになっている。
【０１１６】
例えば装置選択ボタン３０１ａを押した場合には、装置名称が「１号機」の自動分析装置に対するメインのベース画面が表示される。装置名称が「２号機」の分析装置に接続したい場合には、装置選択ボタン３０１ｂを押す操作になる。
〈試薬状況画面の表示例〉
【０１１７】
図７は、図２の自動分析システムが有するタブレット端末による試薬状況画面における表示例を示した説明図である。
【０１１８】
状況確認画面である試薬状況画面４００は、図７に示すように、接続装置表示部３１０，３１１，３１２，３１３の下方に表示される。この試薬状況画面４００の上方には、階層表示リスト４０１が表示されており、その下方には、画面遷移タブ４０２ａ，４０２ｂ，４０２ｃが表示されている。
【０１１９】
画面遷移タブ４０２ａ、４０２ｂ、４０２ｃの下方には、試薬情報表示リスト４０３が表示されており、その下方には、装置切り替えボタン４０４ａ，４０４ｂ，４０４ｃ，４０４ｄがそれぞれ表示されている。
【０１２０】
接続装置表示部３１０，３１１，３１２，３１３には、図６と同様に、アラーム通知アイコン３１５、試料残量不足通知アイコン３１６、キャリブレーション／精度管理試料の測定終了通知アイコン３１７、および緊急患者試料の測定終了通知アイコン３１８の４種類のアイコンがそれぞれ表示されている。
【０１２１】
例えば接続装置表示部３１０に表示される４種類のアイコンは、「１号機」の自動分析装置における通知を示しており、接続装置表示部３１１に表示される４種類のアイコンは、「２号機」の自動分析装置における通知を示している。
【０１２２】
接続装置表示部３１２に表示される４種類のアイコンは、「３号機」の自動分析装置における通知を示しており、接続装置表示部３１３に表示される４種類のアイコンは、「４号機」の自動分析装置における通知を示している。
【０１２３】
これらアイコン３１５〜３１８の表示状況によって、アラーム通知、試料残量不足通知、キャリブレーション／精度管理試料の測定終了通知、および緊急患者試料の測定終了通知などを知らせる。
【０１２４】
接続装置表示部３１０〜３１３の下部には、表示している試薬状況画面がどの自動分析装置の状況であるかを示す装置対応マーク３３０が表示される。図７の例では、「１号機」の自動分析装置における試薬状況画面を示しており、装置対応マーク３３０として、「１号機」の自動分析装置を示す接続装置表示部ボタン３１０の下部に吹き出し部分が表示されている。
【０１２５】
なお、装置対応マーク３３０は、図７に示した吹き出しに限定されるものではなく、表示している試薬状況画面がどの自動分析装置の状況であるかが判別できるものであればよい。
【０１２６】
このように、 接続装置表示部３１０，３１１，３１２，３１３に表示中の試薬状況画面における自動分析装置を示す吹き出し部分などの装置対応マーク３３０を設けることによって、容易に表示中の試薬状況画面が複数の自動分析装置のうち、どの自動分析装置の状況を表示しているかを目視によって容易に判別することができる。
【０１２７】
階層表示リスト４０１は、画面の階層構造を表示するリストであり、現在表示している画面がどの画面階層下の画面であるかを示すものである。図７の例では、左端の「ホーム」が階層の最上位画面を示しており、右端の「試薬状況」は、現在の表示中の画面を示している。
【０１２８】
画面遷移タブ４０２ａは、選択することによりアラーム状況画面に遷移する。また、画面遷移タブ４０２ｂは、選択することによって試薬状況画面に遷移し、画面遷移タブ４０２ｃは、選択することによってラック状況画面に遷移することができる。
【０１２９】
試薬情報表示リスト４０３は、対象の自動分析装置に設置されている試薬情報を表示する。図７の例では、設置された試薬は、項目Ａと項目Ｂであり、それぞれ残量が示されている。
【０１３０】
そのほか、キャリブレーション分析をするようにオペレータに知らせる「試薬交換」や、コントロール試料分析をするようにオペレータに知らせる「タイムアウト」をなどが表示されている。
【０１３１】
装置切り替えボタン４０４ａ，４０４ｂ，４０４ｃ，４０４ｄは、タブレット端末１１４に接続される自動分析装置に対応した装置切り替えボタンである。図７では、装置切り替えボタン４０４ａ，４０４ｂ，４０４ｃ，４０４ｄがそれぞれ表示されている。
【０１３２】
これはタブレット端末１１４から切り替えを行うことのできる自動分析装置が４台あることを示している。
【０１３３】
表示中の自動分析装置に対応する装置切り替えボタンは、表示されていない自動分析装置の装置切り替えボタンと区別して表示する。図７の例では、表示中の自動分析装置に対応する装置切り替えボタン４０４ａが他の装置切り替えボタン４０４ｂ〜４０４ｄとは異なるようにボタン内の背景色と文字色が表示されている。
【０１３４】
また、装置切り替えボタン４０４ａ〜４０４ｄは、例えば図７の試薬状況画面からアラーム状況画面に遷移しても、あるいはラック状況画面に遷移しても常に表示されるものとする。これにより、どの画面を表示していても他の自動分析装置への切り替えを可能にすることができる。
【０１３５】
例えば装置切り替えボタン４０４ｂを押すことにより「２号機」の自動分析装置に対する試薬状況画面が表示される。このように、自動分析装置に対応した装置切り替えボタンを押す操作によって同一画面間の画面遷移を行うことができる。
〈試薬状況画面の遷移例〉
【０１３６】
図８は、図２の自動分析システムが有するタブレット端末による試薬状況画面における画面切り替え前の画面表示の一例を示す説明図である。
【０１３７】
この図８では、状況確認画面である試薬状況画面５００において、装置名称「１号機」の試薬状況情報を表示した画面例を示したものであり、装置切り替え前を示している。
【０１３８】
装置切り替えボタン４０４ａのボタン内の背景色と文字色を他の装置切り替えボタンと区別することにより、装置名称「１号機」の試薬状況情報を表示していることを示している。また、接続装置表示部３１０の下部にある吹き出し部分にて示す装置対応マーク３３０によっても、試薬状況画面は、装置名称「１号機」の試薬状況情報を表示している。
【０１３９】
図８の試薬情報表示リスト４０３は、装置名称「１号機」に搭載された試薬項目Ａと試薬項目Ｂの情報を表示している。
【０１４０】
続いて、図８に示す画面状態から装置切り替えボタン４０４ｂを押した後の試薬状況画面について説明する。
【０１４１】
図９は、図８の試薬状況画面における画面切り替え後の画面表示の一例を示す説明図である。
【０１４２】
図９に示す試薬状況画面５００は、装置名称「２号機」の試薬状況情報を表示した画面例であり、装置切り替え後の表示例を示している。
【０１４３】
装置切り替えボタン４０４ｂが押されることによって、装置切り替えボタン４０４ａと装置切り替えボタン４０４ｂとのボタン内の背景色と文字色が切り替わる。これによって、装置名称「２号機」の自動分析装置における試薬状況情報を表示していることが示される。
【０１４４】
その際、吹き出しの装置対応マーク３３０は、接続装置表示部３１０から接続装置表示部３１１の下部に表示される。これにより、試薬状況画面５００は、装置名称「２号機」の自動分析装置の試薬状況情報を表示していることを判別することができる。
【０１４５】
図９において、試薬情報表示リスト４０３は、装置名称「２号機」の自動分析装置に搭載された試薬項目Ｘと試薬項目Ｙと試薬項目Ｚの情報を表示している。なお、「１号機」の自動分析装置に戻りたい場合には、装置切り替えボタン４０４ａを押す操作になる。
【０１４６】
以上により、タブレット端末１１４を用いて任意の装置切り替えボタン４０４ａ〜４０４ｄを選択することにより、短時間で容易に複数の自動分析装置１０１ａ〜１０１ｄにおける同じ作業状況を確認することができる。
【０１４７】
これにより、試薬状況などを確認する際の工数を低減することができ、作業効率を向上させることができる。
【０１４８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１４９】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１５０】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１５１】
１００  自動分析システム
１０１  自動分析装置
１０２  試料容器
１０３  試料ラック
１０４  試料投入部
１０５  搬送ライン
１０６ａ  分析部
１０６ｂ  分析部
１０６ｃ  分析部
１０７  試薬容器
１０８ａ  試薬ディスク
１０８ｂ  試薬ディスク
１０８ｃ  試薬ディスク
１０９  試料収納部
１１０  通信機器
１１３  無線機器
１１４  タブレット端末
１２０ａ  反応ディスク
１２０ｂ  反応ディスク
１２０ｃ  反応ディスク
１２１ａ  試料分注機構
１２１ｂ  試料分注機構
１２１ｃ  試料分注機構
１２２ａ  試薬分注機構
１２２ｂ  試薬分注機構
１２２ｃ  試薬分注機構
１２３ａ  測光機構
１２３ｂ  測光機構
１２３ｃ  測光機構
１３０  通信機器
２００  オペレータ
２０１  入力部
２０２  表示部
２０４  装置情報管理部
２０５  対情報管理ＰＣ通信部
２０６  記憶部
２０７  対分析部通信部
２０８  端末表示部
２０９  端末通信部
２１０  端末情報管理部
２１１  端末入力部
２２１  アラーム管理部
２２２  試薬管理部
２２３  測定終了管理部
２２４  ユーザ管理部
２３１  情報管理通信部
２３２  情報管理部
２３３  情報管理記憶部
【図１】
2018168431.tif 000003
【図２】
2018168431.tif 000004
【図３】
2018168431.tif 000005
【図４】
2018168431.tif 000006
【図５】
2018168431.tif 000007
【図６】
2018168431.tif 000008
【図７】
2018168431.tif 000009
【図８】
2018168431.tif 000010
【図９】
2018168431.tif 000011
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
検体を測定する複数の自動分析装置と、
複数の前記自動分析装置と接続される端末装置と、
を有し、
前記端末装置は、複数の前記自動分析装置から前記自動分析装置の状態状況を示す装置情報をそれぞれ取得して、取得した前記装置情報に基づいて、前記自動分析装置における装置状況を示す状況確認画面を生成する情報管理部と、
前記情報管理部が生成した状況確認画面を表示する表示部と、
を有し、
前記表示部が表示する状況確認画面は、
複数の前記自動分析装置のうち、１つの自動分析装置における装置状況を示す状況情報画面と、
前記状況情報画面を他の自動分析装置に対応した状況情報画面に切り替える切り替えボタンと、
を有し、
前記情報管理部は、前記切り替えボタンが選択された際に、選択された前記切り替えボタンに対応する自動分析装置の前記装置情報に基づいて、前記自動分析装置における装置状況を示す状況確認画面を生成して前記表示部に表示させる、自動分析システム。
【請求項２】
請求項１記載の自動分析システムにおいて、
前記表示部が表示する前記切り替えボタンは、複数の前記自動分析装置毎に対応してそれぞれ表示される、自動分析システム。
【請求項３】
請求項２記載の自動分析システムにおいて、
前記表示部が表示する前記切り替えボタンは、表示中の自動分析装置に対応する前記切り替えボタンと表示されていない自動分析装置に対応する前記切り替えボタンとが判別されるように表示される、自動分析システム。
【請求項４】
請求項１記載の自動分析システムにおいて、
前記表示部が表示する状況確認画面は、状況毎に分類される第１の分類表示および前記第１の分類表示を分類した第２の分類表示を有する階層構造である、自動分析システム。
【請求項５】
請求項１記載の自動分析システムにおいて、
前記表示部が表示する状況確認画面は、前記端末装置に接続されている自動分析装置を示す接続装置表示部を表示し、
前記接続装置表示部は、前記表示部に表示されている前記状況確認画面がどの自動分析装置の状況であるかを示す装置対応マークを表示する、自動分析システム。
【請求項６】
請求項４記載の自動分析システムにおいて、
前記情報管理部は、前記表示部に任意の前記自動分析装置に対応した前記第１の分類表示が表示されている際に、前記表示部に表示される装置選択画面から他の前記自動分析装置が選択されると、選択された前記自動分析装置に対応する前記第１の分類表示を前記表示部に表示するように切り替える、自動分析システム。
【請求項７】
請求項６記載の自動分析システムにおいて、
前記表示部に表示される前記第１の分類表示は、試薬状況画面、アラーム状況画面、およびラック状況画面の少なくともいずれかである、自動分析システム。
【請求項８】
請求項６記載の自動分析システムにおいて、
前記情報管理部は、前記表示部に前記第１の分類表示が表示されている場合、前記装置選択画面を前記表示部に常に表示させる、自動分析システム。
【国際調査報告】
2018168431.tif 000012
2018168431.tif 000013
2018168431.tif 000014